(57)【要約】      （修正有）【課題】換気装置本体の天井内への取付けにおいて、容易に取り付けられて、作業時間の短縮をはかる。【解決手段】建築物の天井に設けた壁に固定される固定部材７と、この固定部材７の一方の端部にスライド可能に重合して設けられるＬ字型のスライド部材Ａ８と、固定部材７の他方の端部にスライド可能に重合して設けられるＬ字型のスライド部材Ｂ９とでＵ字型の２つの枠ユニットを構成し、一方の枠ユニットのスライド部材Ａ８と他方の枠ユニットのスライド部材Ｂ９それぞれの固定部材７に重合した辺と別の辺同士を突き合わせて、スライド可能に重合して長方形の枠を形成した換気装置の取付装置３０を用いて換気装置の本体を天井内に固定する方法にすることにより、設置施工を容易に行うことが可能となる。【選択図】図３
2015190686.tif 000002
【特許請求の範囲】
【請求項１】
箱状の本体内に送風機を内蔵し、前記本体の少なくとも一つの側面に排気口、吸込口の少なくともどちらか一方または両方を有した換気装置を取り付けるための取付装置であって、
建築物の天井に設けた壁または梁に固定される固定部材と、
この固定部材の一方の端部にスライド可能に重合して設けられるＬ字型のスライド部材Ａと、
前記固定部材の他方の端部にスライド可能に重合して設けられるＬ字型のスライド部材ＢとでＵ字型の枠ユニットを構成し、
前記枠ユニット２つを一方の前記枠ユニットの前記スライド部材Ａと他方の前記枠ユニットの前記スライド部材Ｂそれぞれの前記固定部材に重合した辺と別の辺同士を突き合わせて、スライド可能に重合して長方形の枠を形成した換気装置の取付装置。
【請求項２】
前記スライド部材Ａ，前記スライド部材Ｂは、前記固定部材に連結するための長孔を有し、
前記固定部材は、前記スライド部材Ａ，前記スライド部材Ｂの前記長孔に対応した孔を有し、
前記固定部材は、前記スライド部材Ａ、前記スライド部材を内包するように重合し、
前記スライド部材Ａ，前記スライド部材Ｂに設けた前記長孔と前記固定部材に設けた前記孔を貫通する金具によってスライド可能に連結された請求項１記載の換気装置の取付装置。
【請求項３】
請求項１または２に記載の換気装置の取付装置を用いた換気装置の取付方法であって、
建築物の天井に設けられた対向する２つの壁（または梁）の一方に前記枠ユニットの１つを固定し、
他方の前記枠ユニットをスライドして対向する壁（または梁）に当接させた後に固定し、前記換気装置の長手方向の一方の端部を前記取付装置の枠内に挿入した後に前記スライド部材Ａ、前記スライド部材Ｂが重合した一方の辺に載せ、
前記換気装置の長手方向の他方の端部を前記取付装置の枠内に挿入した後に、前記スライド部材Ａ、前記スライド部材Ｂが重合した他方の辺をスライドさせ前記換気装置の長手方向の長さに調節した後、前記スライド部材Ａ、前記スライド部材Ｂに前記換気装置を載せ固定する換気装置の取付方法。
【発明の詳細な説明】
【技術分野】
【０００１】
本発明は、換気装置を天井内に固定する取付装置と取付方法に関する。
【背景技術】
【０００２】
従来、住宅の天井内への設置を意図した熱交換形を含む種々の換気装置の取付け方法としては、装置本体を構成する複数の部材を施工の際に組み合わせながら設置するといった方法が事例として挙げられる（例えば、特許文献１参照）。
【０００３】
すなわち、従来の換気装置は、箱状の本体１０１の少なくとも一つの側面に室内空気排気口１０２と、外気吸込口１０３を有している。室内空気排気口１０２、外気吸込口１０３を設けていない側面のひとつを仮取付面１２０とし、この仮取付面１２０の両端上部に仮固定孔１０７を設ける。そして、設置する天井内壁面１０６に、予め固定された螺子１０８に仮固定孔１０７を引掛け、仮取付面１２０を天井内壁面１０６に押し付けるように本体１０１の仮固定をする。この状態で、天井内壁面１０６とこの天井内壁面１０６に対向する壁面に本体１０１下部に設けた屋外側取付部材１１２と給気側取付部材１１３を固定して、本体１０１を天井内に固定するものである。
【先行技術文献】
【特許文献】
【０００４】
【特許文献１】特開２０１３−１０８７２１号公報
【発明の概要】
【発明が解決しようとする課題】
【０００５】
このような換気装置では、天井内へ本体を取り付ける際、各部材を確実に固定しなければならないため作業量が多く、短時間で施工を完了できない場合があるといった課題を有していた。また、天井内壁面の一側面に沿って固定する方法しかなく、設置位置が壁面と壁面との間で任意の位置へずらして設置することができないといった課題を有していた。
【０００６】
そこで本発明では、天井内へ設置する換気装置において、換気装置本体の天井内への取付け作業時間の短縮と重量の大きな装置でも容易に施工することができる取付装置を提供する。
【課題を解決するための手段】
【０００７】
上記課題を解決するために、本発明では、箱状の本体内に送風機を内蔵し、前記本体の少なくとも一つの側面に排気口、吸込口の少なくともどちらか一方または両方を有した換気装置を取り付けるための取付装置であって、
建築物の天井に設けた壁または梁に固定される固定部材と、この固定部材の一方の端部にスライド可能に重合して設けられるＬ字型のスライド部材Ａと、前記固定部材の他方の端部にスライド可能に重合して設けられるＬ字型のスライド部材ＢとでＵ字型の枠ユニットを構成し、前記枠ユニット２つを一方の前記枠ユニットの前記スライド部材Ａと他方の前記枠ユニットの前記スライド部材Ｂそれぞれの前記固定部材に重合した辺と別の辺同士を突き合わせて、スライド可能に重合して長方形の枠を形成した換気装置の取付装置により、所期の目的を達成するものである。
【発明の効果】
【０００８】
本発明によれば、箱状の本体内に送風機を内蔵し、前記本体の少なくとも一つの側面に排気口、吸込口の少なくともどちらか一方または両方を有した換気装置を取り付けるため
の取付装置であって、建築物の天井に設けた壁または梁に固定される固定部材と、この固定部材の一方の端部にスライド可能に重合して設けられるＬ字型のスライド部材Ａと、前記固定部材の他方の端部にスライド可能に重合して設けられるＬ字型のスライド部材ＢとでＵ字型の枠ユニットを構成し、前記枠ユニット２つを一方の前記枠ユニットの前記スライド部材Ａと他方の前記枠ユニットの前記スライド部材Ｂそれぞれの前記固定部材に重合した辺と別の辺同士を突き合わせて、スライド可能に重合して長方形の枠を形成した換気装置の取付装置を用いて本体を固定することを特徴としている。この換気装置の取付装置を用いることにより、天井内への本体取り付けが容易となる。すなわち、本体を上に持ち上げ、天井壁面に予め取り付けられた取付装置に本体を固定するため、固定作業が容易になるのである。
【図面の簡単な説明】
【０００９】
【図１】本発明の実施の形態１の換気装置の概要図
【図２】本発明の実施の形態１の換気装置の取付装置の分解図
【図３】同取付装置の（ａ）概要図、（ｂ）固定部材とスライド部材Ａの重合部分詳細図、（ｃ）スライド部材Ａとスライド部材Ｂの重合部分詳細図、（ｄ）切り欠きの詳細図
【図４】同取付装置の（ａ）固定部材とスライド部材Ａの重合部分の断面詳細図、（ｂ）固定部材の固定部分の断面詳細図、（ｃ）スライド部材Ａとスライド部材Ｂの重合部分の断面詳細図
【図５】同取付装置の天井取付状態を示す図
【図６】天井内への換気装置の取付方法を示す（ａ）換気装置本体の挿入模式図、（ｂ）換気装置本体の据付模式図、（ｃ）換気装置本体の取付状態図
【図７】従来の換気装置の天井内への施工方法を示す斜視図
【発明を実施するための形態】
【００１０】
本発明における請求項１記載の換気装置の取付装置は、箱状の本体内に送風機を内蔵し、前記本体の少なくとも一つの側面に排気口、吸込口の少なくともどちらか一方または両方を有した換気装置を取り付けるための取付装置であって、建築物の天井に設けた壁または梁に固定される固定部材と、この固定部材の一方の端部にスライド可能に重合して設けられるＬ字型のスライド部材Ａと、前記固定部材の他方の端部にスライド可能に重合して設けられるＬ字型のスライド部材ＢとでＵ字型の枠ユニットを構成し、前記枠ユニット２つを一方の前記枠ユニットの前記スライド部材Ａと他方の前記枠ユニットの前記スライド部材Ｂそれぞれの前記固定部材に重合した辺と別の辺同士を突き合わせて、スライド可能に重合して長方形の枠を形成したという構成を有する。
【００１１】
これにより、取付装置は、長方形型であって、その直交する辺に沿ってスライドできる構造になっているので、設置場所を選ばず、また、設置する機器も選ばない自由度の高いものとなる。また、前記枠ユニットは、同じ２つの部品で構成されているため、少ない部品点数となり、安価で製造の容易なものとなる。
【００１２】
また、前記スライド部材Ａ，前記スライド部材Ｂは、前記固定部材に連結するための長孔を有し、前記固定部材は、前記スライド部材Ａ，前記スライド部材Ｂの前記長孔に対応した孔を有し、前記固定部材は、前記スライド部材Ａ、前記スライド部材を内包するように重合し、前記スライド部材Ａ，前記スライド部材Ｂに設けた前記長孔と前記固定部材に設けた前記孔を貫通する金具によってスライド可能に連結されたという構成を有する。
【００１３】
これにより、取付装置の長方形体を構成する一方の対向する辺、すなわち、壁または梁に固定した固定部材の長手方向に沿って、他方の対向する辺がスライドできるので、取り付ける換気装置の大きさに調整することができる。すなわち、建設物の天井に設けられた平行なする２つの壁または梁の間で、換気装置を任意の位置に固定できるという効果を奏
する。
【００１４】
また、建築物の天井に設けられた平行な２つの壁（または梁）の一方に前記枠ユニットの１つを固定し、他方の前記枠ユニットをスライドして対向する壁（または梁）に当接させた後に固定し、前記換気装置の長手方向の一方の端部を前記取付装置の枠内に挿入した後に前記スライド部材Ａ、前記スライド部材Ｂが重合した一方の辺に載せ、前記換気装置の長手方向の他方の端部を前記取付装置の枠内に挿入した後に、前記スライド部材Ａ、前記スライド部材Ｂが重合した他方の辺をスライドさせ前記換気装置の長手方向の長さに調節した後、前記スライド部材Ａ、前記スライド部材Ｂに前記換気装置を載せ固定するという構成を有する。
【００１５】
これにより、天井に設けた壁または梁へ先に固定しておくことにより、作業者が換気装置を簡単に施工することが可能になる。また、天井内に換気装置を挿入する際に、排気口、吸込口のアダプターなどの部品が、前記スライド部材Ａ，前記スライド部材Ｂに干渉せず天井内に挿入することができる。また、換気装置の取付装置を固定する際、換気装置の上部まで手を上げることがなく、下部の位置での固定が可能となるため施工性が向上できるという効果を奏する。
以下、本発明の実施の形態について図１から図４を参照しながら説明する。
（実施の形態１）
本発明の実施の形態について図を用いて説明する。
【００１６】
まず、換気装置は、図１に示すように、箱状の本体１の一側面に室内から室外へ空気を排出する室内空気排気口２と、室外から室内へ空気を吸込む外気吸込口３が設けられている。そして、その対向する面には、室外空気を室内へ給気する室内給気口４が設けられている。底面中央には、室内天井面に露出する室内空気吸込口５が設けられる。また、本体１の底面の全周には、外側に張り出すようにして設けられたフランジ６が設けられている。このフランジ６は、本体１の側面を形成する板金をＬ字曲げされたものである。図示しないが、本体１の内部には、外気を室内へ給気するファン（給気ファン）と室内空気を室外へ排出するためのファン（排気ファン）が備えられている。また、外気と室内空気を熱交換するための熱交換素子が本体１の中央部に備えられている。
【００１７】
図２〜４は、本体１を天井裏に固定するために用いる取付装置３０を示したものである。
【００１８】
図２に示すように、取付装置３０は、２つの枠ユニット２１、２２で構成される。そして、枠ユニット２１、２２は、それぞれ、固定部材７とスライド部材Ａ８、スライド部材Ｂ９によって構成されている。詳細には後述するが、固定部材７は、断面がＣ字状になった細長い棒状の部品で、天井裏の壁や梁に木ねじによって固定するものである。
【００１９】
スライド部材Ａ８は、Ｌ字状の部品で、固定部材７の長手方向の一方の端部にスライド可能に取り付けられる。スライド部材Ｂ９は、Ｌ字状の部品で、固定部材７の長手方向のスライド部材Ａ８が取り付けられた端部とは他方の端部にスライド可能に取り付けられる。そして、枠ユニット２１のスライド部材Ａ８の開放端と枠ユニット２２のスライド部材Ｂ９の開放端とを突き合わせ、枠ユニット２１のスライド部材Ｂ９の開放端と枠ユニット２２のスライド部材Ａ８の開放端とを突き合わせ、スライド部材Ａ８にスライド部材Ｂ９が包まれるように重ね合わせる。
【００２０】
このようにして、図３に示すように長方形の取付装置３０が形成される。この取付装置３０のそれぞれの辺は、固定部材７と直交する方向と固定部材７と平行な方向にスライド可能になる。すなわち、固定部材７、スライド部材Ａ８、スライド部材Ｂ９の重合した長
さ分だけ長方形の辺の長さが変えられるのである。
【００２１】
図３の詳細図（ｂ）および、図４（ａ）に示すように、スライド部材Ａ８、スライド部材Ｂ９は、固定部材７に連結するための長孔１０を有している。固定部材７は、スライド部材Ａ８、スライド部材Ｂ９の長孔１０に対応した孔１３を有している。固定部材７は、断面がＣ字状に形成されている。そして、固定部材７の両端部では、スライド部材Ａ８、スライド部材Ｂ９を内包してスライドできるように連結される。また、図４（ｂ）に示すように、固定部材７は、壁１８（または梁）に固定する際、取付穴１４から、木螺子１６を用いて締め付ける。
【００２２】
また、スライド部材Ａ８、スライド部材Ｂ９は、固定部材７の長手方向の端部を覆うように重ねたあと、長孔１０、孔１３を貫通するカシメ金具１１を取り付けて連結する。このカシメ金具１１は、固定部材７とスライド部材Ａ８、スライド部材Ｂ９を強固に固定するものではなく、固定部材７の長手方向にスライドできるようになっている。
【００２３】
また、図４（ｃ）に示すように、スライド部材Ａ８、スライド部材Ｂ９の固定部材７と直交した辺は、断面がＣ字状に形成されていて、スライド部材Ｂ９がスライド部材Ａ８に内包されるように重なっている。スライド部材Ｂ９、スライド部材Ａ８には、長孔１２が形成されていて、後述するように換気装置の本体１を載せた後、螺子１７を貫通させて、本体１の固定を行う。
【００２４】
このように構成された換気装置の取付装置３０を用いて、換気装置を天井内に設置する方法について説明する。
【００２５】
まず、図５に示すように、天井の壁１８ａ、１８ｂに取付装置３０を木螺子１６を用いて固定する。まず、一方の固定部材７を天井のひとつの壁１８ａに固定する。固定する際、固定部材７に加工された複数の切り欠き１５を、固定部材７の外側に曲げ起こし、この起こした切り欠き１５が壁１８ａの下面に接するように固定する。この固定により、天井面と固定部材７が水平に固定されることになる。
【００２６】
そして、固定されていない他方の固定部材７を固定部材７と直交する方向にスライドさせて、壁１８ａと平行に設けられた壁１８ｂに接触させる。そして、木螺子１６によって固定するのである。
【００２７】
次に、図６に示すように、換気装置の本体１を天井内に挿入する。まず、取付装置３０を固定部材７の長手方向に拡げておく。すなわち、スライド部材Ａ８、スライド部材Ｂ９を固定部材７の長手方向にスライドさせておく。この状態で、換気装置の本体１を天井内に挿入させる。このとき、図６（ａ）に示すように、本体１の長手方向の端部をまず天井内（すなわち、取付装置３０内）に挿入し、取付装置３０の固定部材７と直交する一方の辺に仮置きする。そして、本体１の反対部分、まだ天井内に挿入されていない部分を取付装置３０の内部を通して天井内に挿入する。このように、取付装置３０を外側にスライドさせて拡げておくことにより、換気装置の本体１の側面に設けられている室内空気排気口２と外気吸込口３のアダプターに干渉せず天井内に挿入することができる。
【００２８】
この状態で、スライド部材Ａ８、スライド部材Ｂ９をスライド、すなわち、固定部材７の長手方向にスライドさせて縮める。取付装置３０を本体１の大きさに合わせた後、本体１を取付装置３０上に載せる。そして、本体１のフランジ６に加工された螺子穴に合わせて螺子１７でスライド部材Ａ８、スライド部材Ｂ９に固定し設置完了となる。
【００２９】
なお、本発明においては、熱交換形の換気装置を対象に住宅天井内への設置施工方法を
明記しているが、天井内への設置さらには換気対象の居室あるいは通路空間の天井面に室内空気吸込口を設ける装置であれば、この限りではない。
【産業上の利用可能性】
【００３０】
本発明における換気装置は、重量の大きなものであって、換気装置の取付装置を用いることにより、換気装置を容易に施工することが可能になる。また、換気装置の取付装置は建築物の天井に設けられた平行な２つの壁または梁の下面に取り付けられることにより、換気装置の上部まで手を入れる必要がないため施工が容易となる。また、同じ２つの部品で構成されているため、複雑な部品の組み合わせが不要となり、さらに部品点数を減らすことができるためコストダウンが可能になる。以上より、本発明における換気装置の取付装置は、住宅天井内への施工において、重量の大きな装置であっても本体を容易に固定することができ、またコストダウンを図ることが可能になるため、前記住宅天井内への設置を意図した換気装置の取付装置として有用である。
【符号の説明】
【００３１】
１    本体
２    室内空気排気口
３    外気吸込口
４    室内給気口
５    室内空気吸込口
６    フランジ
７    固定部材
８    スライド部材Ａ
９    スライド部材Ｂ
１０  長孔
１１  カシメ金具
１２  長孔
１３  孔
１４  取付穴
１５  切り欠き
１６  木螺子
１７  螺子
１８  壁
２１、２２  枠ユニット
３０  取付装置
【図１】
2015190686.tif 000003
【図２】
2015190686.tif 000004
【図３】
2015190686.tif 000005
【図４】
2015190686.tif 000006
【図５】
2015190686.tif 000007
【図６】
2015190686.tif 000008
【図７】
2015190686.tif 000009